(57)【要約】【課題】２Ｋ、４Ｋ及び８Ｋの異なる解像度の衛星放送を１種類のユニットで受信することができ、１つのトランスポンダで提供される複数の番組を１つのユニットで受信することができるトランスモジュールユニット、それを用いたケーブルテレビ放送装置、制御方法、及びケーブルテレビ放送方法を提供する。【解決手段】トランスモジュールユニットは、衛星放送用の１つのトランスポンダに対応するユニットであって、１つのトランスポンダから送信された信号が入力信号として入力され、当該入力信号に含まれる複数の番組のデータを取出してそれぞれ出力する受信部と、受信部の出力データを、ケーブルテレビ配信用のデータに変換する変換部と、変換部により変換されたデータから、番組それぞれに対応する周波数を有するＲＦ信号を生成して出力する出力部とを含む。【選択図】図３
2019176298.tif 000002
【特許請求の範囲】
【請求項１】
衛星放送用の１つのトランスポンダに対応するユニットであって、
前記衛星放送用のトランスポンダから送信された信号が入力信号として入力され、前記入力信号に含まれる複数の番組のデータを取出してそれぞれ出力する受信部と、
前記受信部の出力データを、ケーブルテレビ配信用のデータに変換する変換部と、
前記変換部により変換されたデータから、前記番組それぞれに対応する周波数を有するＲＦ信号を生成して出力する出力部とを含む、トランスモジュールユニット。
【請求項２】
衛星放送の信号であってその１搬送波に複数の番組のデータが含まれる信号が入力されるチューナ部と、
前記チューナ部の出力信号から前記複数の番組それぞれのデータを分離して出力する分離部と、
前記分離部の出力データに含まれるＮＩＴの書換えを行なう書換部と、
前記書換部によりＮＩＴが書換えられたデータからＴＳＭＦデータ又は拡張ＴＳＭＦデータを生成して出力するＴＳＭＦ生成部と、
前記ＴＳＭＦ生成部の出力データをＱＡＭ変調する変調部と、
前記変調部によりＱＡＭ変調されたデータを、前記番組それぞれに対応する周波数の搬送波により出力するＲＦ出力部とを含む、トランスモジュールユニット。
【請求項３】
衛星放送の信号であってその１搬送波に複数の番組のデータが含まれる信号が入力されるチューナ部と、
前記チューナ部の出力信号から前記複数の番組それぞれのデータを分離して出力する１つの分離部と、
３つのＴＳＭＦ生成部と、
４つの変調部と、
前記変調部の出力データを、前記番組それぞれに対応する周波数の搬送波により出力するＲＦ出力部とを含み、
前記３つのＴＳＭＦ生成部のそれぞれは、前記分離部により分離された後のデータからＴＳＭＦデータ又は拡張ＴＳＭＦデータを生成して出力し、
前記４つの変調部のそれぞれは、前記ＴＳＭＦ生成部の出力データをＱＡＭ変調して出力する、トランスモジュールユニット。
【請求項４】
請求項１〜３のいずれかに記載のトランスモジュールユニットを、衛星放送用の右旋電波を送信するトランスポンダの数と同数搭載し得る、ケーブルテレビ放送装置。
【請求項５】
前記複数の番組の数が３以上であり、
前記出力部に含まれる変調部は、６４ＱＡＭ変調及び２５６ＱＡＭ変調のいずれかを選択して実行する、請求項４に記載のケーブルテレビ放送装置。
【請求項６】
衛星放送の信号であってその１搬送波に複数の番組のデータが含まれる信号を入力信号とし、前記入力信号から複数の番組のデータを取出してそれぞれ出力する受信ステップと、
前記受信ステップによる出力データを、ケーブルテレビ配信用のデータに変換する変換ステップと、
前記変換ステップにより変換されたデータから、前記番組それぞれに対応する周波数を有するＲＦ信号を生成して出力する出力ステップとを含む、制御方法。
【請求項７】
前記受信ステップは、
前記入力信号からデジタルデータを生成して出力するチューニングステップと、
前記チューニングステップにより出力された前記デジタルデータから前記複数の番組それぞれのデータを分離して出力する分離ステップとを含み、
前記変換ステップは、
前記分離ステップにより分離された後のデータに含まれるＮＩＴの書換えを行なう書換ステップと、
前記分離ステップにより分離された後のデータからＴＳＭＦデータ又は拡張ＴＳＭＦデータを生成して出力するＴＳＭＦ生成ステップとを含み、
前記出力ステップは、
前記ＴＳＭＦ生成ステップによる出力データをＱＡＭ変調する変調ステップと、
前記変調ステップによりＱＡＭ変調されたデータを、前記番組それぞれに対応する周波数の搬送波により出力するＲＦ出力ステップとを含む、請求項６に記載の制御方法。
【請求項８】
１つの前記分離ステップに対して、３つ以下の前記ＴＳＭＦ生成ステップが並行して実行され、且つ、４つ以下の前記変調ステップが並行して実行される、請求項７に記載の制御方法。
【請求項９】
衛星放送用の複数のトランスポンダからの送信信号を入力し、番組に対応する周波数のＲＦ信号を生成して出力する方法であって、
前記トランスポンダを単位として、前記トランスポンダの送信信号に対して請求項６〜８のいずれかの制御方法を実行する、ケーブルテレビ放送方法。
【請求項１０】
前記複数の番組の数が３以上であり、
前記出力ステップに含まれる変調ステップにおいては、６４ＱＡＭ変調及び２５６ＱＡＭ変調のいずれかが選択されて実行される、請求項９に記載のケーブルテレビ放送方法。
【発明の詳細な説明】
【技術分野】
【０００１】
本発明は、トランスモジュールユニット、それを用いたケーブルテレビ放送装置、制御方法、及びケーブルテレビ放送方法に関する。
【背景技術】
【０００２】
人工衛星に搭載したトランスポンダによりデジタルテレビジョン放送（ＢＳ放送及びＣＳ放送）が行なわれている。現在、ＢＳ放送に関しては、実用放送として標準テレビジョン放送（以下、２Ｋ放送ともいう）が行われており、試験放送として、高精細度テレビジョン放送（以下、４Ｋ放送ともいう）及び超高精細度テレビジョン放送（以下、８Ｋ放送ともいう）も行なわれている。平成３０年１２月以降、４Ｋ及び８Ｋ放送の実用放送が計画されている。これに伴い、現在のＢＳ放送の番組が再編される予定である。
【０００３】
図１及び図２に、計画されているＢＳ放送のテレビ番組のチャンネル配列を示す（下記非特許文献１参照）。なお、図１及び図２は、背景技術を正確に示すために、非特許文献１に開示されているチャンネル配列図をできるだけ忠実に再現したものであり、登録商標が含まれている。図１は、衛星に搭載されている２３台のトランスポンダのうち、偏波面が右回転（以下、右旋という）する電波を出力するトランスポンダにより放送されるものである。図２は、偏波面が左回転（以下、左旋という）する電波を出力するトランスポンダにより放送されるものである。１ｃｈ〜２３ｃｈの各チャンネルは、トランスポンダに対応し、所定の周波数の電波を出力する。右旋の電波を使用するトランスポンダには、図１に示す奇数番号のチャンネル（以下、奇数チャンネルという）が割り当てられる。左旋の電波を使用するトランスポンダには、図２に示す偶数番号のチャンネル（以下、偶数チャンネルという）が割り当てられる。
【０００４】
例えば、図１の１チャンネル（１ｃｈ）は、それぞれ異なる放送局により提供される３つの番組が割当てられている。即ち、１つのトランスポンダで３つの番組が提供される。図１の５チャンネル（５ｃｈ）は、１つの放送局により提供される２つの番組が割当てられている。即ち、１つのトランスポンダで２つの番組が提供される。なお、本明細書において、「チャンネル」とはトランスポンダ（周波数）を特定するためのものであり、「番組」とは、いわゆるテレビ放送のチャンネルに対応するものであり、所定の時間帯で映像・音響を提供するいわゆる番組を意味しない。
【０００５】
図１及び図２の各チャンネル配列図のうち、背景が網掛けされているものは、４Ｋ又は８Ｋ放送が計画されているものである。背景が網掛けされていないものは、現状のデジタル放送と同じ解像度の放送である。例えば、図１の７チャンネル（７ｃｈ）及び１７チャンネル（１７ｃｈ）に関しては、それぞれ１つのトランスポンダで、４Ｋ放送の３番組が提供される。図２の８チャンネル（８ｃｈ）も同様である。図２の１４チャンネル（１４ｃｈ）は、１つのトランスポンダにより８Ｋ放送の１番組が提供される。
【０００６】
したがって、ケーブルテレビ放送（以下、ＣＡＴＶ放送ともいう）サービスを提供しているケーブルテレビ局（以下、ＣＡＴＶ局ともいう）においては、これらのチャンネル改編、並びに、２Ｋ、４Ｋ及び８Ｋという異なる解像度（即ち、データ形式が異なる）の放送が混在することに対応することが必要となる。
【０００７】
下記非特許文献２には、各番組に対応して４Ｋ及び８Ｋ放送を受信することができ、ＣＡＴＶ配信が可能な２種類のユニット（１スロットタイプ及び２スロットタイプ）が提案されている。これらのユニットは、ラックマウント用の筐体（以下、サブラックともいう）のスロットに装着されて使用される。１スロットタイプのユニットは、１台のユニットで、１つの４Ｋ放送の番組を受信し、ＢＳ−ＩＦのＴＬＶストリームの書換えを行ない、２５６ＱＡＭ変調して出力することができる。１スロットタイプのユニットを用いて８Ｋ放送を受信することもできるが、２５６ＱＡＭの出力周波数が３ＱＡＭ分（又は、６４ＱＡＭの出力周波数が４ＱＡＭ分）連続していることが必要である。２スロットタイプのユニットであれば、周波数が連続していなくても、１台のユニットで８Ｋ放送を受信することができる。
【先行技術文献】
【非特許文献】
【０００８】
【非特許文献１】“衛星放送の現状  ［平成２９年度第４四半期版］”、[online] 平成３０年１月１日、総務省  情報流通行政局  衛星・地域放送課、［平成３０年３月１９日検索］、インターネット＜URL：http://www.soumu.go.jp/main_sosiki/joho_tsusin/eisei/eisei.pdf＞
【非特許文献２】“「４Ｋ・８Ｋ実用放送」新製品をラインアップ  ＲＦ・ＩＰ冗長で「停波を防ぐ設備」を提案”、月刊ニューメディア、株式会社ニューメディア、２０１７年１２月１日、２０１８年１月号、pp.34-37
【非特許文献３】“デジタル有線テレビジョン放送  「ケーブルテレビにおける超高精細度テレビジョン放送の導入に関する伝送方式の高度化提案」中間報告(案)”、[online]（一社）日本ＣＡＴＶ技術協会  規格・標準化委員会、［平成３０年３月１９日検索］、インターネット＜URL：http://www.soumu.go.jp/main_content/000317625.pdf＞
【発明の概要】
【発明が解決しようとする課題】
【０００９】
非特許文献２で提案されているユニットでは、各番組に１台のユニットが必要であり、ＢＳ放送される全ての番組に対応できるようにするためには、非常に多くのユニットが必要となる。また、１スロットタイプのユニットでは、８Ｋ放送を受信する上での制限があり、制限なく８Ｋ放送を受信するには、異なる種類の２スロットタイプのユニットが必要である。したがって、これらのユニットを複数のサブラックに収容し、それらサブラックをラックに搭載するには大型のラック、又は複数台のラックを使用することが必要となり、大型設備となりＣＡＴＶ局内で広いスペースを占める問題がある。
【００１０】
したがって、本発明は、２Ｋ、４Ｋ及び８Ｋの異なる解像度の衛星放送を１種類のユニットで受信することができ、１つのトランスポンダで提供される複数の番組を１つのユニットで受信することができるトランスモジュールユニット、それを用いたケーブルテレビ放送装置、制御方法、及びケーブルテレビ放送方法を提供することを目的とする。
【課題を解決するための手段】
【００１１】
本発明のある局面に係るトランスモジュールユニットは、衛星放送用の１つのトランスポンダに対応するユニットであって、衛星放送用のトランスポンダから送信された信号が入力信号として入力され、当該入力信号に含まれる複数の番組のデータを取出してそれぞれ出力する受信部と、受信部の出力データを、ケーブルテレビ配信用のデータに変換する変換部と、変換部により変換されたデータから、番組それぞれに対応する周波数を有するＲＦ信号を生成して出力する出力部とを含む。
【００１２】
本発明の別の局面に係る制御方法は、衛星放送の信号であってその１搬送波に複数の番組のデータが含まれる信号を入力信号とし、当該入力信号から複数の番組のデータを取出してそれぞれ出力する受信ステップと、受信ステップによる出力データを、ケーブルテレビ配信用のデータに変換する変換ステップと、変換ステップにより変換されたデータから、番組それぞれに対応する周波数を有するＲＦ信号を生成して出力する出力ステップとを含む。
【発明の効果】
【００１３】
本発明によれば、１つのトランスモジュールユニットで１つのトランスポンダで提供される複数の番組を受信することが可能になる。
【図面の簡単な説明】
【００１４】
【図１】図１は、計画されているＢＳ放送（右旋、奇数チャンネル）のテレビ番組のチャンネル配列図である。
【図２】図２は、計画されているＢＳ放送（左旋、偶数チャンネル）のテレビ番組のチャンネル配列図である。
【図３】図３は、本発明の実施の形態に係るトランスモジュールユニットの構成を示すブロック図である。
【図４】図４は、図３の第１セレクタの構成を示すブロック図である。
【図５】図５は、図３の第２セレクタの構成を示すブロック図である。
【図６】図６は、図１のトランスモジュールユニットを用いたＣＡＴＶ配信の運用例を示すブロック図である。
【図７】図７は、図６と異なる運用例を示すブロック図である。
【図８】図８は、図６及び７と異なる運用例を示すブロック図である。
【図９】図９は、図６〜図８と異なる運用例を示すブロック図である。
【図１０】図１０は、図６〜図９と異なる運用例を示すブロック図である。
【図１１】図１１は、複数のトランスモジュールユニットを収容したサブラックを示す斜視図である。
【発明を実施するための形態】
【００１５】
［本発明の実施形態の説明］
最初に、本発明の実施の形態の内容を列記して説明する。以下に記載する実施形態の少なくとも一部を任意に組み合わせてもよい。
【００１６】
（１）本発明の第１の局面に係るトランスモジュールユニットは、衛星放送用の１つのトランスポンダに対応するユニットであって、衛星放送用のトランスポンダから送信された信号が入力信号として入力され、当該入力信号に含まれる複数の番組のデータを取出してそれぞれ出力する受信部と、受信部の出力データを、ケーブルテレビ配信用のデータに変換する変換部と、変換部により変換されたデータから、番組それぞれに対応する周波数を有するＲＦ信号を生成して出力する出力部とを含む。これにより、１つのトランスモジュールユニットで１つのトランスポンダで提供される複数の番組を受信し、ＣＡＴＶ配信することができる。
【００１７】
（２）本発明の第２の局面に係るトランスモジュールユニットは、衛星放送の信号であってその１搬送波に複数の番組のデータが含まれる信号が入力されるチューナ部と、チューナ部からの出力信号から複数の番組それぞれのデータを分離して出力する分離部と、分離部の出力データに含まれるＮＩＴの書換えを行なう書換部と、書換部によりＮＩＴが書換えられたデータからＴＳＭＦデータ又は拡張ＴＳＭＦデータを生成して出力するＴＳＭＦ生成部と、ＴＳＭＦ生成部の出力データをＱＡＭ変調する変調部と、変調部によりＱＡＭ変調されたデータを、番組それぞれに対応する周波数の搬送波により出力するＲＦ出力部とを含む。これにより、１種類のトランスモジュールユニットで、解像度が異なる２Ｋ、４Ｋ及び８Ｋの衛星放送に対応することができる。
【００１８】
（３）本発明の第３の局面に係るトランスモジュールユニットは、衛星放送の信号であってその１搬送波に複数の番組のデータが含まれる信号が入力されるチューナ部と、チューナ部の出力信号から複数の番組それぞれのデータを分離して出力する１つの分離部と、３つのＴＳＭＦ生成部と、４つの変調部と、変調部の出力データを、番組それぞれに対応する周波数の搬送波により出力するＲＦ出力部とを含み、３つのＴＳＭＦ生成部のそれぞれは、分離部により分離された後のデータからＴＳＭＦデータ又は拡張ＴＳＭＦデータを生成して出力し、４つの変調部のそれぞれは、ＴＳＭＦ生成部の出力データをＱＡＭ変調して出力する。これにより、トランスモジュールユニットを、コンパクトに構成することができる。
【００１９】
（４）本発明の第４の局面に係るケーブルテレビ放送装置は、上記のトランスモジュールユニットを、衛星放送用の右旋電波を送信するトランスポンダの数と同数搭載し得る。これにより、ケーブルテレビ放送装置をコンパクトに構成することができる。
【００２０】
（５）好ましくは、複数の番組の数が３以上であり、出力部に含まれる変調部は、６４ＱＡＭ変調及び２５６ＱＡＭ変調のいずれかを選択して実行する。これにより、解像度が異なる２Ｋ、４Ｋ及び８Ｋの衛星放送に柔軟に対応することができる。
【００２１】
（６）本発明の第５の局面に係る制御方法は、衛星放送の信号であってその１搬送波に複数の番組のデータが含まれる信号を入力信号とし、当該入力信号から複数の番組のデータを取出してそれぞれ出力する受信ステップと、受信ステップによる出力データを、ケーブルテレビ配信用のデータに変換する変換ステップと、変換ステップにより変換されたデータから、番組それぞれに対応する周波数を有するＲＦ信号を生成して出力する出力ステップとを含む。これにより、１つのトランスポンダで提供される複数の番組を受信することができる。
【００２２】
（７）好ましくは、受信ステップは、入力信号からデジタルデータを生成して出力するチューニングステップと、チューニングステップにより出力されたデジタルデータから複数の番組それぞれのデータを分離して出力する分離ステップとを含み、変換ステップは、分離ステップにより分離された後のデータに含まれるＮＩＴの書換えを行なう書換ステップと、分離ステップにより分離された後のデータからＴＳＭＦデータ又は拡張ＴＳＭＦデータを生成して出力するＴＳＭＦ生成ステップとを含み、出力ステップは、ＴＳＭＦ生成ステップによる出力データをＱＡＭ変調する変調ステップと、変調ステップによりＱＡＭ変調されたデータを、番組それぞれに対応する周波数の搬送波により出力するＲＦ出力ステップとを含む。これにより、解像度が異なる２Ｋ、４Ｋ及び８Ｋの衛星放送に対応することができる。
【００２３】
（８）より好ましくは、１つの分離ステップに対して、３つ以下のＴＳＭＦ生成ステップが並行して実行され、且つ、４つ以下の変調ステップが並行して実行される。これにより、コンパクトな制御方法を実現することができる。
【００２４】
（９）本発明の第６の局面に係るケーブルテレビ放送方法は、衛星放送用の複数のトランスポンダからの送信信号を入力し、番組に対応する周波数のＲＦ信号を生成して出力する方法であって、トランスポンダを単位として、トランスポンダの送信信号に対して上記の制御方法を実行する。これにより、コンパクトなケーブルテレビ放送方法を実現することができる。
【００２５】
（１０）好ましくは、複数の番組の数が３以上であり、出力ステップに含まれる変調ステップにおいては、６４ＱＡＭ変調及び２５６ＱＡＭ変調のいずれかが選択されて実行される。これにより、解像度が異なる２Ｋ、４Ｋ及び８Ｋの衛星放送に柔軟に対応することができる。
【００２６】
［本発明の実施形態の詳細］
以下の実施の形態では、同一の部品には同一の参照番号を付してある。それらの名称及び機能も同一である。したがって、それらについての詳細な説明は繰返さない。
【００２７】
（実施の形態）
［全体構成］
図３を参照して、本発明の実施の形態に係るトランスモジュールユニット１００は、ＢＳ−ＩＦ信号が入力されるチューナ部１０２と、解析分離部１０４と、ＮＩＴ書換部１１０と、第１セレクタ１２０と、ＴＳＭＦ生成部１３０と、第２セレクタ１４０と、ＱＡＭ変調部１５０と、ＲＦ出力部１６０とを含む。ＮＩＴ書換部１１０は、入力されるデータ（パケットデータ）に含まれるＮＩＴを書換える第１ＮＩＴ書換部１１２、第２ＮＩＴ書換部１１４及び第３ＮＩＴ書換部１１６を含む。ＴＳＭＦ生成部１３０は、入力されるデータからＴＳＭＦデータを生成する第１ＴＳＭＦ生成部１３２、第２ＴＳＭＦ生成部１３４及び第３ＴＳＭＦ生成部１３６を含む。ＱＡＭ変調部１５０は、入力されるデータにＱＡＭ変調を施して出力する第１ＱＡＭ変調部１５２、第２ＱＡＭ変調部１５４、第３ＱＡＭ変調部１５６及び第４ＱＡＭ変調部１５８を含む。ＲＦ出力部１６０は、入力されるデータを所定の搬送波に乗せてＲＦ信号を生成して出力する第１ＲＦ出力部１６２、第２ＲＦ出力部１６４、第３ＲＦ出力部１６６及び第４ＲＦ出力部１６８を含む。
【００２８】
チューナ部１０２には、ＢＳアンテナで受信された信号（約１２ＧＨｚ）がダウンコンバートされた中間周波数のＢＳ−ＩＦ信号が入力される。チューナ部１０２は、入力された信号から、ＴＭＣＣ（Transmission and Multiplexing
Configuration Control）及びＴＬＶ（Type-length Value）形式のデータ（又はＴＳ形式のデータ）を含むデータを生成して出力する。ＢＳ放送では、映像、音響等のデータをＴＳパケット化し、ＴＭＣＣ等の情報を付加し、符号化、変調及び時分割多重して、電波として送信する。
【００２９】
解析分離部１０４は、ＴＭＣＣを参照して、入力されるデータから番組それぞれのＴＬＶデータ（又はＴＳデータ）を生成し、ＮＩＴ書換部１１０の第１ＮＩＴ書換部１１２、第２ＮＩＴ書換部１１４及び第３ＮＩＴ書換部１１６に入力する。第１ＮＩＴ書換部１１２、第２ＮＩＴ書換部１１４及び第３ＮＩＴ書換部１１６のそれぞれには、１つの番組のデータが入力される。
【００３０】
第１ＮＩＴ書換部１１２に入力されるデータは、ＢＳ放送用のＮＩＴ（Network Information Table）を含んでいるので、第１ＮＩＴ書換部１１２は、入力されるデータに含まれるＮＩＴをＣＡＴＶ配信用に書換える。ＮＩＴには、トランスポンダ、番組（いわゆるチャンネルに対応）等を特定する情報が含まれている。第１ＮＩＴ書換部１１２から出力されるデータは、ＮＩＴが書換えられているが、それ以外は入力されたデータと同じである。第２ＮＩＴ書換部１１４及び第３ＮＩＴ書換部１１６も同様に、入力されるデータに含まれるＮＩＴをＣＡＴＶ配信用に書換えて出力する。第１ＮＩＴ書換部１１２、第２ＮＩＴ書換部１１４及び第３ＮＩＴ書換部１１６の出力は、第１セレクタ１２０に入力される。
【００３１】
第１セレクタ１２０は、複数の入力データを振り分けて、ＴＳＭＦ生成部１３０に含まれる第１ＴＳＭＦ生成部１３２、第２ＴＳＭＦ生成部１３４及び第３ＴＳＭＦ生成部１３６に入力する。第１セレクタ１２０は、後述するように、チューナ部１０２が受信した信号に含まれる番組の数、画像の解像度（２Ｋ、４Ｋ又は８Ｋ）に応じて、各入力信号を第１ＴＳＭＦ生成部１３２、第２ＴＳＭＦ生成部１３４及び第３ＴＳＭＦ生成部１３６のいずれに入力するかを決定する。
【００３２】
第１ＴＳＭＦ生成部１３２、第２ＴＳＭＦ生成部１３４及び第３ＴＳＭＦ生成部１３６は、入力されるデータを多重化して、公知のＴＳＭＦ（Transport Streams Multiplexing Frame）データを生成して出力する。第１ＴＳＭＦ生成部１３２は、ＴＳＭＦ生成の機能に加えて、入力されるデータを多重化して、拡張ＴＳＭＦ（Extended TSMF）データを生成することができる。拡張ＴＳＭＦデータ形式は、例えば非特許文献３で提案されているものである。拡張ＴＳＭＦは、ＣＡＴＶ放送の６ＭＨｚ間隔の複数の搬送波を用いて８Ｋ放送を行なうためのものであり、ＴＳＭＦに拡張情報が付加されたフレーム構造となっている。
【００３３】
第２セレクタ１４０は、複数の入力データを振り分けて、ＱＡＭ変調部１５０に含まれる第１ＱＡＭ変調部１５２、第２ＱＡＭ変調部１５４、第３ＱＡＭ変調部１５６及び第４ＱＡＭ変調部１５８に入力する。第２セレクタ１４０は、後述するように、チューナ部１０２が受信した信号に含まれる番組の数、画像の解像度（２Ｋ、４Ｋ又は８Ｋ）に応じて、各入力信号を第１ＱＡＭ変調部１５２、第２ＱＡＭ変調部１５４、第３ＱＡＭ変調部１５６及び第４ＱＡＭ変調部１５８のいずれに入力するかを決定する。
【００３４】
第１ＱＡＭ変調部１５２は、入力されるデータを２５６ＱＡＭ変調又は６４ＱＡＭ変調して出力する。第１ＱＡＭ変調部１５２は、２５６ＱＡＭ変調及び６４ＱＡＭ変調の機能を有するが、外部からの制御を受けて（又はハードウェア的に設定されて）、いずれか一方のみを実行する。第２ＱＡＭ変調部１５４、及び第３ＱＡＭ変調部１５６も同様に、２５６ＱＡＭ変調又は６４ＱＡＭ変調を行なう。第４ＱＡＭ変調部１５８は、６４ＱＡＭ変調を行なう。第１ＱＡＭ変調部１５２、第２ＱＡＭ変調部１５４、第３ＱＡＭ変調部１５６及び第４ＱＡＭ変調部１５８によりＱＡＭ変調されたデータはそれぞれ、対応する第１ＲＦ出力部１６２、第２ＲＦ出力部１６４、第３ＲＦ出力部１６６及び第４ＲＦ出力部１６８に入力される。
【００３５】
第１ＲＦ出力部１６２、第２ＲＦ出力部１６４、第３ＲＦ出力部１６６及び第４ＲＦ出力部１６８はそれぞれ、入力されるデータを所定周波数の搬送波で伝送するためのＲＦ信号を生成して出力する。第１ＲＦ出力部１６２、第２ＲＦ出力部１６４、第３ＲＦ出力部１６６及び第４ＲＦ出力部１６８が出力するＲＦ信号の周波数は相互に異なる。第１ＲＦ出力部１６２、第２ＲＦ出力部１６４、第３ＲＦ出力部１６６及び第４ＲＦ出力部１６８から出力されるＲＦ信号は全て合波され（ＲＦｏｕｔ）、増幅されてＣＡＴＶ用ケーブルを介して配信される。
【００３６】
［セレクタの構成］
図４を参照して、第１セレクタ１２０の機能に関して説明する。第１セレクタ１２０は、第１スイッチ部１２２、第２スイッチ部１２４及び第３スイッチ部１２６を含む。第１スイッチ部１２２、第２スイッチ部１２４及び第３スイッチ部１２６のそれぞれには、第１ＮＩＴ書換部１１２、第２ＮＩＴ書換部１１４及び第３ＮＩＴ書換部１１６の出力データが入力される。第１スイッチ部１２２は、外部からの制御を受けて（又はハードウェア的に設定されて）、３つの入力信号のそれぞれをＯＮ／ＯＦＦする機能を有する。ＯＮ時には入力信号がそのまま出力され、ＯＦＦ時には入力信号は出力されない。したがって、第１ＴＳＭＦ生成部１３２には、第１ＮＩＴ書換部１１２、第２ＮＩＴ書換部１１４及び第３ＮＩＴ書換部１１６の出力が全て入力される場合がある。第２スイッチ部１２４及び第３スイッチ部１２６はそれぞれ、外部からの制御を受けて（又はハードウェア的に設定されて）、３つの入力信号のいずれか１つを選択する機能と、選択した信号をＯＮ／ＯＦＦする機能を有する。選択された信号は、ＯＮ時には出力されるが、ＯＦＦ時には出力されない。
【００３７】
図５を参照して、第２セレクタ１４０の機能に関して説明する。第２セレクタ１４０は、第４スイッチ部１４２、第６スイッチ部１４６及び第７スイッチ部１４８を含む。第４スイッチ部１４２は、第１ＴＳＭＦ生成部１３２からの最大４つの出力が入力され、外部からの制御を受けて（又はハードウェア的に設定されて）、いずれか１つを出力する機能を有する。第５スイッチ部１４４及び第６スイッチ部１４６はそれぞれ、外部からの制御を受けて（又はハードウェア的に設定されて）、２つの入力のうちいずれか一方を出力する機能を有する。第７スイッチ部１４８は、外部からの制御を受けて（又はハードウェア的に設定されて）、入力をＯＮ／ＯＦＦする機能を有する。
【００３８】
図３〜図５の各要素は、ＡＳＩＣ、ＦＰＧＡ等を含む半導体ＩＣを用いて実現することができる。各要素をそれぞれ１つの半導体ＩＣで構成することも、複数の要素をまとめて１つの半導体ＩＣで構成することもできる。例えば、トランスモジュールユニット１００は、ラックマウント用のサブラックの１つのスロットに装着可能な形態に形成することができる。
【００３９】
図３〜図５の各要素の機能は、ＣＰＵ及び半導体メモリを用いて、ソフトウェアプログラムにより実現してもよい。また、半導体ＩＣとソフトウェアプログラムとの組合せにより実現してもよい。ＦＰＧＡにより実現することは、ソフトウェアプログラムによる実現とも言える。サブラックにトランスモジュールユニットを複数搭載する構成に対応して、１つのトランスポンダの送信信号からＣＡＴＶ配信用のデータを生成するソフトウェアプログラムを、複数（例えば、トランスポンダの数と同数）並列に実行する形態が可能である。
【００４０】
トランスモジュールユニット１００は、このように構成されていることにより、図１及び図２に示した種々の番組構成に対応することができる。以下に、トランスモジュールユニット１００の運用例を具体的に示す。
【００４１】
［運用例１］
図６を参照して、図１の１ｃｈで提供される３番組（標準テレビジョン放送）を受信して、ＣＡＴＶ用データとしてＲＦ出力する場合を説明する。図６において、実線の矢印は、データが存在する（配線上を有意な信号が流れる）ことを意味し、破線の矢印は、データが存在しない（配線は存在するが有意な信号は流れない）ことを意味する。これにより、各スイッチ部における信号の選択及びＯＮ／ＯＦＦ制御を示している。また、ＱＡＭ変調部１５０の４つの変調部のうち使用されるものには、それぞれ選択されているＱＡＭ変調の種類を、括弧を付して示している。
【００４２】
１ｃｈで提供される３番組は、解析分離部１０４によりそれぞれの番組のデータに分離され、１つの番組のデータは第１ＮＩＴ書換部１１２に入力され、別の１つの番組のデータは第２ＮＩＴ書換部１１４に入力され、残りの１つの番組のデータは第３ＮＩＴ書換部１１６に入力される。この場合、第１ＮＩＴ書換部１１２からの出力データは、第１スイッチ部１２２により第１ＴＳＭＦ生成部１３２に入力され、第２ＮＩＴ書換部１１４からの出力データは、第２スイッチ部１２４により第２ＴＳＭＦ生成部１３４に出力され、第３ＮＩＴ書換部１１６からの出力データは、第３スイッチ部１２６により第３ＴＳＭＦ生成部１３６に入力される。第１ＴＳＭＦ生成部１３２、第２ＴＳＭＦ生成部１３４及び第３ＴＳＭＦ生成部１３６はそれぞれ、入力データからＴＳＭＦデータを生成して出力する。
【００４３】
第１ＴＳＭＦ生成部１３２、第２ＴＳＭＦ生成部１３４及び第３ＴＳＭＦ生成部１３６の出力データはそれぞれ、第４スイッチ部１４２、第５スイッチ部１４４及び第６スイッチ部１４６により、第１ＱＡＭ変調部１５２、第２ＱＡＭ変調部１５４及び第３ＱＡＭ変調部１５６に入力される。第１ＱＡＭ変調部１５２、第２ＱＡＭ変調部１５４及び第３ＱＡＭ変調部１５６はそれぞれ、入力データを６４ＱＡＭ変調して出力する。この場合、第４ＱＡＭ変調部１５８は使用されない。第１ＱＡＭ変調部１５２、第２ＱＡＭ変調部１５４及び第３ＱＡＭ変調部１５６の出力は、対応する第１ＲＦ出力部１６２、第２ＲＦ出力部１６４及び第３ＲＦ出力部１６６に入力され、３つの搬送波のＲＦ信号が生成される。
【００４４】
［運用例２］
図７を参照して、図２の１４ｃｈで提供される１番組（８Ｋ放送）を受信して、ＣＡＴＶ用データとしてＲＦ出力する場合を説明する。実線の矢印、破線の矢印の意味は、図６と同じである。これにより、各スイッチ部における信号の選択及びＯＮ／ＯＦＦ制御を示している。また、ＱＡＭ変調部１５０の４つの変調部のうち使用されるものには、それぞれ選択されているＱＡＭ変調の種類を、括弧を付して示している。なお、第１ＱＡＭ変調部１５２、第２ＱＡＭ変調部１５４及び第３ＱＡＭ変調部１５６に関しては、２５６ＱＡＭ変調が選択される場合と、６４ＱＡＭ変調が選択される場合がある。
【００４５】
１４ｃｈで提供されるのは１番組であるので、解析分離部１０４により分離されたデータは第１ＮＩＴ書換部１１２に入力される。第２ＮＩＴ書換部１１４及び第３ＮＩＴ書換部１１６には、データは入力されない。この場合、第１ＮＩＴ書換部１１２からの出力データは、第１スイッチ部１２２により第１ＴＳＭＦ生成部１３２に入力される。第１ＴＳＭＦ生成部１３２は、入力データから拡張ＴＳＭＦデータを生成し、パケット単位で、４つの出力ライン又は３つの出力ラインに分配して出力する。
【００４６】
８Ｋデータの伝送には、２５６ＱＡＭ変調と６４ＱＡＭ変調を使用することができる。２５６ＱＡＭ変調の場合、１回の変調で８ビットのデータを送ることができ、６４ＱＡＭ変調の場合、１回の変調で６ビットのデータを送ることができる。データの送信レートの比率は４：３であるので、２５６ＱＡＭ変調を使用する場合、３波のＲＦ信号で送信し、６４ＱＡＭ変調を使用する場合、４波のＲＦ信号で送信する。
【００４７】
２５６ＱＡＭ変調を使用する場合、第１ＱＡＭ変調部１５２、第２ＱＡＭ変調部１５４及び第３ＱＡＭ変調部１５６が２５６ＱＡＭ変調を実行するように設定され、第１ＴＳＭＦ生成部１３２は拡張ＴＳＭＦデータを３つの出力ラインで出力し、それぞれ第４スイッチ部１４２、第５スイッチ部１４４及び第６スイッチ部１４６を介して、第１ＱＡＭ変調部１５２、第２ＱＡＭ変調部１５４及び第３ＱＡＭ変調部１５６に入力される。この場合、第４ＱＡＭ変調部１５８は使用されない。第１ＱＡＭ変調部１５２、第２ＱＡＭ変調部１５４及び第３ＱＡＭ変調部１５６の出力は、対応する第１ＲＦ出力部１６２、第２ＲＦ出力部１６４及び第３ＲＦ出力部１６６に入力され、３つの搬送波のＲＦ信号が生成される。このように、２５６ＱＡＭ変調の場合、３波を用いて８ＫのＣＡＴＶ放送を提供することができる。
【００４８】
一方、６４ＱＡＭ変調を使用する場合、第１ＱＡＭ変調部１５２、第２ＱＡＭ変調部１５４、第３ＱＡＭ変調部１５６及び第４ＱＡＭ変調部１５８が６４ＱＡＭ変調を実行するように設定され、第１ＴＳＭＦ生成部１３２は拡張ＴＳＭＦデータを４つの出力ラインで出力し、それぞれ第４スイッチ部１４２、第５スイッチ部１４４、第６スイッチ部１４６及び第７スイッチ部１４８を介して、第１ＱＡＭ変調部１５２、第２ＱＡＭ変調部１５４、第３ＱＡＭ変調部１５６及び第４ＱＡＭ変調部１５８に入力される。第１ＱＡＭ変調部１５２、第２ＱＡＭ変調部１５４、第３ＱＡＭ変調部１５６及び第４ＱＡＭ変調部１５８の出力は、対応する第１ＲＦ出力部１６２、第２ＲＦ出力部１６４、第３ＲＦ出力部１６６及び第４ＲＦ出力部１６８に入力され、４つの搬送波のＲＦ信号が生成される。このように、６４ＱＡＭ変調の場合、４波を用いて８ＫのＣＡＴＶ放送を提供することができる。
【００４９】
［運用例３］
図８を参照して、図１の１７ｃｈで提供される３番組（４Ｋ放送）のうちの１番組を受信して、ＣＡＴＶ用データとして２波のＲＦ出力で提供する場合を説明する。実線の矢印、破線の矢印の意味は、図６及び図７と同じである。これにより、各スイッチ部における信号の選択及びＯＮ／ＯＦＦ制御を示している。ＱＡＭ変調部１５０の４つの変調部のうち使用されるものには、それぞれ選択されているＱＡＭ変調の種類を、括弧を付して示している。
【００５０】
１７ｃｈで提供される３番組は、解析分離部１０４によりそれぞれの番組のデータに分離され、１つの番組のデータは第１ＮＩＴ書換部１１２に入力され、別の１つの番組のデータは第２ＮＩＴ書換部１１４に入力され、残りの１つの番組のデータは第３ＮＩＴ書換部１１６に入力される。ここでは、第１ＮＩＴ書換部１１２からの出力データは、第１スイッチ部１２２により第１ＴＳＭＦ生成部１３２に入力されるが、第２ＮＩＴ書換部１１４及び第３ＮＩＴ書換部１１６からの出力データは、第２スイッチ部１２４及び第３スイッチ部１２６によりＯＦＦされて出力されない。第１ＴＳＭＦ生成部１３２は、入力データから拡張ＴＳＭＦデータを生成し、パケット単位で、２つの出力ラインに分配して出力する。第１ＴＳＭＦ生成部１３２の出力はそれぞれ、第４スイッチ部１４２及び第５スイッチ部１４４を介して、第１ＱＡＭ変調部１５２及び第２ＱＡＭ変調部１５４に入力される。
【００５１】
第１ＱＡＭ変調部１５２及び第２ＱＡＭ変調部１５４はそれぞれ、入力データに対して６４ＱＡＭ変調を実行する。第１ＱＡＭ変調部１５２及び第２ＱＡＭ変調部１５４の出力データはそれぞれ、対応する第１ＲＦ出力部１６２及び第２ＲＦ出力部１６４に入力され、２つの搬送波のＲＦ信号が生成される。
【００５２】
なお、この運用形態では、１７ｃｈの３番組（４Ｋ放送）を全て受信して、それぞれをＣＡＴＶ用データとして２波のＲＦ出力で提供するには、３つのトランスモジュールユニット１００が必要である。
【００５３】
［運用例４］
図９を参照して、図１の１７ｃｈで提供される３番組（４Ｋ放送）を受信して、ＣＡＴＶ用データとしてＲＦ出力する場合を説明する。この運用例は、運用例３とは異なり、１つのトランスモジュールユニット１００で３番組全てを提供することができる。実線の矢印、破線の矢印の意味は、図６〜図８と同じである。これにより、各スイッチ部における信号の選択及びＯＮ／ＯＦＦ制御を示している。ＱＡＭ変調部１５０の４つの変調部のうち使用されるものには、それぞれ選択されているＱＡＭ変調の種類を、括弧を付して示している。
【００５４】
１７ｃｈで提供される３番組は、解析分離部１０４によりそれぞれの番組のデータに分離され、１つの番組のデータは第１ＮＩＴ書換部１１２に入力され、別の１つの番組のデータは第２ＮＩＴ書換部１１４に入力され、残りの１つの番組のデータは第３ＮＩＴ書換部１１６に入力される。第１ＮＩＴ書換部１１２、第２ＮＩＴ書換部１１４及び第３ＮＩＴ書換部１１６からの出力データは全て、第１スイッチ部１２２により第１ＴＳＭＦ生成部１３２に入力される。第１ＴＳＭＦ生成部１３２は、３つの入力ライン全てから入力されるデータから、拡張ＴＳＭＦデータを生成し、パケット単位で、４つの出力ラインに分配して出力する。
【００５５】
その後の信号処理は、８Ｋ放送に関する運用例２で６４ＱＡＭ変調を使用する場合と同じである。即ち、第１ＱＡＭ変調部１５２、第２ＱＡＭ変調部１５４、第３ＱＡＭ変調部１５６及び第４ＱＡＭ変調部１５８が６４ＱＡＭ変調を実行するように設定され、第１ＴＳＭＦ生成部１３２は拡張ＴＳＭＦデータを４つの出力ラインで出力する。４ラインの出力データはそれぞれ、第４スイッチ部１４２、第５スイッチ部１４４、第６スイッチ部１４６及び第７スイッチ部１４８を介して、第１ＱＡＭ変調部１５２、第２ＱＡＭ変調部１５４、第３ＱＡＭ変調部１５６及び第４ＱＡＭ変調部１５８に入力される。第１ＱＡＭ変調部１５２、第２ＱＡＭ変調部１５４、第３ＱＡＭ変調部１５６及び第４ＱＡＭ変調部１５８の出力は、対応する第１ＲＦ出力部１６２、第２ＲＦ出力部１６４、第３ＲＦ出力部１６６及び第４ＲＦ出力部１６８に入力され、４つの搬送波のＲＦ信号が生成される。このように、６４ＱＡＭ変調の場合、４波を用いて４Ｋの３番組をＣＡＴＶ放送として提供することができる。
【００５６】
［運用例５］
図１０を参照して、図１の１７ｃｈで提供される３番組（４Ｋ放送）を受信して、ＣＡＴＶ用データとしてＲＦ出力する場合を説明する。この運用例は、運用例３とは異なり、１つのトランスモジュールユニット１００で３番組全てを提供することができ、また、運用例４はと異なり、各番組を１波で提供することができる。実線の矢印、破線の矢印の意味は、図６〜図９と同じである。これにより、各スイッチ部における信号の選択及びＯＮ／ＯＦＦ制御を示している。ＱＡＭ変調部１５０の４つの変調部のうち使用されるものには、それぞれ選択されているＱＡＭ変調の種類を、括弧を付して示している。
【００５７】
１７ｃｈで提供される３番組は、解析分離部１０４によりそれぞれの番組のデータに分離され、１つの番組のデータは第１ＮＩＴ書換部１１２に入力され、別の１つの番組のデータは第２ＮＩＴ書換部１１４に入力され、残りの１つの番組のデータは第３ＮＩＴ書換部１１６に入力される。第１ＮＩＴ書換部１１２からの出力データは、第１スイッチ部１２２により第１ＴＳＭＦ生成部１３２に入力され、第２ＮＩＴ書換部１１４からの出力データは、第２スイッチ部１２４により第２ＴＳＭＦ生成部１３４に出力され、第３ＮＩＴ書換部１１６からの出力データは、第３スイッチ部１２６により第３ＴＳＭＦ生成部１３６に入力される。第１ＴＳＭＦ生成部１３２、第２ＴＳＭＦ生成部１３４及び第３ＴＳＭＦ生成部１３６はそれぞれ、入力データからＴＳＭＦデータを生成して出力する。
【００５８】
第１ＴＳＭＦ生成部１３２、第２ＴＳＭＦ生成部１３４及び第３ＴＳＭＦ生成部１３６の出力データはそれぞれ、第４スイッチ部１４２、第５スイッチ部１４４及び第６スイッチ部１４６により、第１ＱＡＭ変調部１５２、第２ＱＡＭ変調部１５４及び第３ＱＡＭ変調部１５６に入力される。第１ＱＡＭ変調部１５２、第２ＱＡＭ変調部１５４及び第３ＱＡＭ変調部１５６はそれぞれ、入力データを２５６ＱＡＭ変調して出力する。第４ＱＡＭ変調部１５８は使用されない。第１ＱＡＭ変調部１５２、第２ＱＡＭ変調部１５４及び第３ＱＡＭ変調部１５６の出力は、対応する第１ＲＦ出力部１６２、第２ＲＦ出力部１６４及び第３ＲＦ出力部１６６に入力され、３つの搬送波のＲＦ信号が生成される。このように、２５６ＱＡＭ変調の場合、４Ｋの３番組のそれぞれを１波（合計３波）を用いてＣＡＴＶ放送として提供することができる。
【００５９】
図１及び図２に示した各チャンネルには、上記の運用例１、２、４及び５のいずれかにより対応することができる。例えば、７ｃｈ、８ｃｈに関しては、１７ｃｈと同様に４Ｋ放送の３番組が提供されるので、運用例４又は運用例５で対応することができる。また、３ｃｈ、１３ｃｈ、１５ｃｈ等の、標準テレビジョン放送の３番組が提供されるチャンネルに関しては、１ｃｈと同様に運用例１で対応することができる。２つの番組を提供している５ｃｈにも、運用例１で対応することができる。８Ｋ放送を提供する１４ｃｈに関しては、上記したように、運用例２で対応できる。
【００６０】
なお、１２ｃｈに関しては、１番組が提供される状況では、運用例２〜４のいずれでも対応でき、１７ｃｈと同様に４Ｋ放送の３番組が提供されるようになれば、運用例４又は運用例５で対応することができる。未使用となっている、２ｃｈ、４ｃｈ等に関しては、上記のいずれかの解像度及び番組数での提供が開始されれば、同様に運用例１、２、４及び５のいずれかで対応することができる。
【００６１】
トランスモジュールユニット１００を複数備える場合、各トランスモジュールユニット１００から出力される合波されたＲＦ信号は、他のトランスモジュールユニット１００から出力される合波されたＲＦ信号と、さらに合波されて、ＣＡＴＶケーブルに供給されて得る。
【００６２】
［効果］
１つのトランスポンダで提供される複数の番組を、１つのトランスモジュールユニットで受信し、ＣＡＴＶ配信することができる。特に、平成３０年１２月以降に予定されている、解像度が異なる２Ｋ、４Ｋ及び８Ｋ放送が混在するＢＳ放送の各チャンネル（トランスポンダ）に関して、１種類のトランスモジュールユニットで対応することができる。
【００６３】
１つの分離部に対して、３つのＴＳＭＦ生成部、及び、４つの変調部を含むように構成することにより、トランスモジュールユニットをコンパクトに構成することができる。
【００６４】
ＢＳ放送用のトランスポンダと同数のトランスモジュールユニットを、例えば図１１のように準備すれば、全てのＢＳ放送に対応することができ、ＢＳ放送の各番組に対して１つのユニットを備える場合と比較して、ＣＡＴＶ放送設備を格段にコンパクトに構成することができる。図１１を参照して、サブラック２０２は複数のトランスモジュールユニット２００を収容することができる。ユニット２０４及び２０６内には、例えば電源等が配置されている。サブラック２０２は、例えば、高さ３Ｕであり１９インチラックに搭載可能なものである。各トランスモジュールユニット２００は、サブラック２０２のスロットに装着可能な実用的な形態に形成されている。このように、業界標準である１９インチラックに搭載可能なサブラック２０２の場合、実用的な設計のトランスモジュールユニット２００を収容可能な数は“１２”となる。これは、奇しくも、図１に示したＢＳ放送の奇数チャンネルが割当てられたトランスポンダ（ＢＳ放送の右旋電波を送信するトランスポンダ）の数と一致する。即ち、図１１に示した構成により、平成３０年１２月以降に放送が予定されているＢＳ放送の奇数チャンネルが割当てられた１２台のトランスポンダにより送信される全ての番組を受信し、ＣＡＴＶ配信用のデータを生成することができる。
【００６５】
各トランスポンダからの送信信号に含まれる複数の番組の数が３以上であったとしても、変調部を６４ＱＡＭ変調及び２５６ＱＡＭ変調のいずれかを選択して実行するように構成することにより、解像度が異なる２Ｋ、４Ｋ及び８Ｋの衛星放送に柔軟に対応することができる。
【００６６】
上記では、図３に示した構成により、ＮＩＴが書換えられた後のデータからＴＳＭＦデータ又は拡張ＴＳＭＦデータを生成する場合を説明したが、これに限定されない。ＮＩＴの書換えと、ＴＳＭＦデータ又は拡張ＴＳＭＦデータの生成とは、ＱＡＭ変調される前に実行されていればよく、その順序は任意である。
【００６７】
上記では、ＢＳ放送用の１台のトランスポンダに対して１台のトランスモジュールユニットで、ＢＳ放送を受信してＣＡＴＶ配信する場合を説明したが、これに限定されない。ＣＳ放送に関しても同様にして、１台のトランスポンダに対する１台のトランスモジュールユニットを実現することができる。
【００６８】
以上、実施の形態を説明することにより本発明を説明したが、上記した実施の形態は例示であって、本発明は上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００６９】
１００、２００    トランスモジュールユニット
１０２    チューナ部
１０４    解析分離部
１１０    ＮＩＴ書換部
１１２    第１ＮＩＴ書換部
１１４    第２ＮＩＴ書換部
１１６    第３ＮＩＴ書換部
１２０    第１セレクタ
１２２    第１スイッチ部
１２４    第２スイッチ部
１２６    第３スイッチ部
１３０    ＴＳＭＦ生成部
１３２    第１ＴＳＭＦ生成部
１３４    第２ＴＳＭＦ生成部
１３６    第３ＴＳＭＦ生成部
１４０    第２セレクタ
１４２    第４スイッチ部
１４４    第５スイッチ部
１４６    第６スイッチ部
１４８    第７スイッチ部
１５０    ＱＡＭ変調部
１５２    第１ＱＡＭ変調部
１５４    第２ＱＡＭ変調部
１５６    第３ＱＡＭ変調部
１５８    第４ＱＡＭ変調部
１６０    ＲＦ出力部
１６２    第１ＲＦ出力部
１６４    第２ＲＦ出力部
１６６    第３ＲＦ出力部
１６８    第４ＲＦ出力部
２０２    サブラック
２０４、２０６    ユニット
【図１】
2019176298.tif 000003
【図２】
2019176298.tif 000004
【図３】
2019176298.tif 000005
【図４】
2019176298.tif 000006
【図５】
2019176298.tif 000007
【図６】
2019176298.tif 000008
【図７】
2019176298.tif 000009
【図８】
2019176298.tif 000010
【図９】
2019176298.tif 000011
【図１０】
2019176298.tif 000012
【図１１】
2019176298.tif 000013